(57)【要約】      （修正有）【課題】配線やコネクタ等の損傷を回避しつつ迅速に配線工事を行うことができる配線補助具を提供する。【解決手段】伸縮性網組チューブ１は、二段構造であることにより、例えば小径のＬＡＮケーブルのみならず、大径のコネクタ付きケーブル等もそれぞれのチューブに挿入して先端部分を把握することができる。第１のチューブ１１の先端には伸縮性ロッド等と繋ぐフック受け部２を設けていることにより、配線工事の準備が容易であるばかりでなく、工事中の離脱を効果的に防止することができる。さらにフック受け部２にはより戻し具２１が設けられていることにより、配線の捩れを防止することができる。また第１のチューブ１１の先端が先細く、かつこの第１のチューブと第２のチューブ１２との連結している部分が引っ張られてコーン状になることにより、既設の配線や段差等との衝突や絡まりを効果的に防止することができる。【選択図】図１
0003165341.tif 000002
【実用新案登録請求の範囲】
【請求項１】
合成樹脂製の伸縮性網組チューブとフック受け部とを備え、
上記伸縮性網組チューブは、第１のチューブと、この第１のチューブに一体的に連結された第２のチューブとからなり、
上記第２のチューブの内径は、上記第１のチューブの内径より大きく成形してあり、
上記フック受け部は、上記第１のチューブの先端に連結してあり、
上記第２のチューブの後端は開口している
ことを特徴とする配線補助具。
【請求項２】
上記第１のチューブの先端は、先細りしている
ことを特徴とする請求項１に記載の配線補助具。
【請求項３】
上記フック受け部には、より戻し具を設けてある
ことを特徴とする請求項１または２に記載の配線補助具。
【請求項４】
上記第１のチューブと第２のチューブとの後端部には、それぞれこれらのチューブを縮径する締め付け具を設けてある
ことを特徴とする請求項１または３のいずれかに記載の配線補助具。
【請求項５】
上記第２のチューブの後端は、網組を構成する網線が相互に固定してある      ことを特徴とする請求項１または４のいずれかに記載の配線補助具。
【考案の詳細な説明】
【技術分野】
【０００１】
本考案は、電源、通信、若しくは情報用ケーブルまたはコネクタ付きケーブルに装着する配線補助具に関する。
【背景技術】
【０００２】
従来から、オフィスビルや集合住宅等の天井裏や床下には、電気系統のケーブルやコードが多数張り巡らされている。また例えばオフィスにコンピュータ端末を増設する場合、各階毎に設置された中間配線盤のフロアースイッチから、天井裏を経由してオフィス内のハブにＬＡＮケーブルを新たに配線してネットワークに接続する。このような配線工事をする際には、ＬＡＮケーブルの先端を、伸縮性ロッドの先端にビニールテープ等で巻き付け、一方の天井孔からこのロッドを挿入して伸ばし、他方の天井孔でビニールテープを外してＬＡＮケーブルの先端を受け取る作業が行われていた。
【考案の概要】
【考案が解決しようとする課題】
【０００３】
しかるに上述した従来の配線工事においては、狭い空間内に配線するため、ビニールテープ等で巻きつけたＬＡＮケーブルの先端や、ケーブルの先端に設けたコネクタ等が、既設の配線や床裏の段差等に引っ掛かって、配線に手間が掛かったり、配線が損傷したりする場合も多い。さらにビニールテープ等の取り付けや取り外しの手間がかかる。すなわちこれらの作業員は、通常けがをしないように厚手の手袋をしているため、ビニールテープ等の取り付けや取り外しの際には、一々この手袋を脱がなければならない。また取り外したビニールテープ等が体に纏わりついたり周囲に散乱したりして煩わしい。
【０００４】
そこで本考案の第１の目的は、配線やコネクタ等の損傷を回避しつつ迅速に配線工事を行うことができる配線補助具を提供することにある。本考案の第２の目的は、資源を有効に活用し、複数回利用することができる配線補助具を提供することにある。
【課題を解決するための手段】
【０００５】
上記課題を解決するために、本考案による配線補助具の特徴は、内径の異なる伸縮性網組チューブを連結して二段構造にすることにある。これにより外径が小さいケーブルを配線する場合には、内径の小さい伸縮性網組チューブに挿入して把握し、外径が大きいコネクタ等付きケーブルを配線する場合には、内径の大きい伸縮性網組チューブに挿入して把握することができる。
【０００６】
すなわち、本考案による配線補助具は、合成樹脂製の伸縮性網組チューブとフック受け部とを備えている。上記伸縮性網組チューブは、第１のチューブと、この第１のチューブに一体的に連結された第２のチューブとからなる。上記第２のチューブの内径は、上記第１のチューブの内径より大きく成形してある。上記フック受け部は、上記第１のチューブの先端に連結してあり、上記第２のチューブの後端は開口している。
【０００７】
サーバーやコンピュータ端末等が多数設置されているフロアーにおいては、第１のチューブの先端が既設の配線や床裏の段差等に引っ掛かる場合がある。そこで上記第１のチューブの先端は、先細りしていることが望ましい。これにより既設の配線や床裏の段差等に第１のチューブの先端が引っ掛かり難くすることができる。さらに上記フック受け部にはより戻し具を設けてあることが望ましい。これにより配線中に、ケーブルが捩れることを防止することができる。
【０００８】
また上記第１のチューブまたは第２のチューブでそれぞれ配線の先端部分を把握しただけでは、配線工事の途中で抜けてしまう恐れがある。そこで上記第１のチューブと第２のチューブとの後端部には、それぞれこれらのチューブを縮径する締め付け具を設けてあることが望ましい。これによりそれぞれの配線を上記第１のチューブまたは第２のチューブに固定して、配線工事中の離脱を確実に防止することができる。
【０００９】
ところで伸縮性網組チューブは、２本〜３本の繊維を編んだ構造であるため、繰り返し使うと切断部分である第２のチューブの後端において、網組を構成する繊維がバラける場合がある。そこで上記第２のチューブの後端は、網組を構成する網線が相互に固定してあることが望ましい。これにより上記第２のチューブの開口から連続で配線が抜き差しされても、この第２のチューブの破損を防止することができる。
【００１０】
ここで、「合成樹脂製の伸縮性網組チューブ」とは、ポリエステル系繊維等の合成樹脂の繊維を網組みして成形された管状部材であって、軸方向に引っ張ると径が縮小し、軸方向に圧縮すると径が拡大するものが該当する。したがって「合成樹脂製の伸縮性網組チューブ」に、ケーブルの先端部分を挿入した状態で、この伸縮性網組チューブを引っ張れば、この伸縮性網組チューブが縮径して、ケーブルの先端部分を強固に把握することができる。
【００１１】
「第１のチューブ」の長さは、６００ｍｍ〜１０００ｍｍが該当し、７００ｍｍ〜８００ｍｍがより望ましい。また「第２のチューブ」の長さは、２００ｍｍ〜３００ｍｍが該当する。「第１のチューブの内径は、引っ張ったときの最小径が３ｍｍ〜１０ｍｍ、押し広げたときの最大径が１２ｍｍ〜２８ｍｍであることが好ましい。また「第２のチューブ」の内径は、引っ張ったときの最小径が１２ｍｍ〜３０ｍｍ、押し広げたときの最大径が３３ｍｍ〜５５ｍｍが好ましい。「第１のチューブ」と「第２のチューブ」とを一体的に連結する部分は、この第２のチューブの先端を内側に直角に折り曲げている場合だけでなく、斜めに折り曲げてテーパー状にしている場合も該当する。
【００１２】
「フック受け部」とは、例えば配線工事に用いられる伸縮性ロッドやカーボンロッドの先端に設けられている鉤部材に引っ掛けて、このロッドと上記伸縮性網組チューブとを繋ぐものが該当する。また「上記フック受け部は、第１のチューブの先端に連結してあり」とは、例えばフック受け部の根元部分を第１のチューブの先端とテープや接着剤で固定しているものや、フック受け部の根元部分にプラグを設け、このプラグを第１のチューブの先端に差し込んで固定したものが該当する。
【００１３】
「上記第２のチューブの後端は開口している」とは、この開口している部分がストレートなものばかりでなく、ラッパ状に拡がっているものも該当する。
【００１４】
「上記第１のチューブの先端は、先細りしている」とは、例えば第１のチューブの先端を束ねてテーパー状にし、上記フック受け部の根元部分の外周に縛っているものや、上述したフック受け部のプラグの先端が、例えば半球状またはコーン状に先細りしているものが該当する。
【００１５】
「締め付け具」とは、例えば面ファスナーまたは束縛用のバンド、紐、ワイヤー若しくはテープが該当する。
【００１６】
「網組を構成する網線が相互に固定してある」とは、例えば第２のチューブの後端の端面を加熱して各繊維を溶着した場合や、接着剤を塗布して各繊維を固着したものが該当する。
【考案の効果】
【００１７】
本考案における配線補助具は、第１のチューブと第２のチューブとの内径が異なる二段構造の伸縮性網組チューブで構成されているため、各チューブの内径にあった配線をそれぞれ挿入することができる。すなわち細い配線は、小径の第１のチューブに挿入し、この配線の先端部分を把握することができる。また太い配線や先端にコネクタ等が付いた配線は、大径の第２のチューブに挿入し、この太い配線の先端部分やコネクタ等を把握することができる。つまり小径の第１のチューブだけでは、太い配線や先端にコネクタ等が付いた配線を挿入して把握することができず、大径の第２のチューブだけでは、太すぎて、細い配線を挿入できても把握することができない。したがって配線の寸法や種類の相異に係わらずに作業を行うことができるため、配線工事時間を大幅に短縮することができる。
【００１８】
さらに上記フック受け部が第１のチューブの先端に連結してあるため、伸縮性ロッドの先端のフックに引っ掛けて上記伸縮性網組チューブで把握した配線を素早く引っ張ったり天井裏から宙吊りにしたりしても外れることなく迅速に配線工事を実行することができる。また第１のチューブと第２のチューブとが一体的に連結されているため、上述したように上記伸縮性網組チューブを引っ張ると、この連結されている部分に軸方向の引っ張り力が働いてコーン状に変形する。したがって先端にコネクタ等が付いた配線を把握した第２のチューブの先端面は、コーン状になって、既設の配線や床裏の段差等との引っ掛かりを回避することができる。
【００１９】
また上記第１のチューブの先端が先細りし、さらに上記フック受け部により戻し具が設けられていることにより、既設の配線や床裏の段差等が多数設けられている商業ビルや集合住宅であっても迅速に配線工事を実行することができる。
【００２０】
また上記第１のチューブと第２のチューブとの後端部にそれぞれこれらのチューブを縮径する締め付け具が設けてあることにより、各チューブと配線とを、より確実に締結でき、配線作業中にチューブと配線とが外れることを回避できる。上記第２のチューブの後端において、網組を構成する網線を相互に固定することにより、網線がバラけることを防止でき、これにより繰り返して使用することが可能となる。
【図面の簡単な説明】
【００２１】
【図１】配線補助具の使用前の全体図である。
【図２】配線補助具の使用中の全体図である。
【図３】配線補助具を使用して配線工事を行っている状態の説明図である。
【考案を実施するための形態】
【００２２】
図１〜３を参照しつつ、本考案による配線補助具の構成及び作用効果を説明する。図１は、伸縮性網組チューブ１にケーブルを挿入する前の状態を表すものである。また図２は、伸縮性網組チューブ１に各ケーブルを挿入している状態を表すものである。図３は、隣接するフロアーに天井裏からケーブルを追加する配線工事の様子を表すものである。
【００２３】
さて図１に示すとおり、この配線補助具はポリエステル系繊維で成形された伸縮性網組チューブ１と、伸縮性ロッドの先端のフックに引っ掛けるフック受け部２とを備える。伸縮性網組チューブは、小径の第１のチューブ１１と、この第１のチューブに一体的に連結された大径の第２のチューブ１２とからなる。第１のチューブ１１に挿入される配線は電源、通信、または情報用ケーブルが該当し、例えばＶＶＦケーブル、ＩＶ電線、ＨＩＶ電線、ＣＶ電線、同軸ケーブル、電話・インターホンケーブル、ＵＴＰケーブルまたはＬＡＮケーブルが該当する。また第２のチューブ１２に挿入される配線は、上述した第１のチューブ１１に挿入される配線より外径が大きい配線や、例えば先端部分にコネクタ、ハーネス、ソケット、プラグまたはタップが付いているものが該当する。
【００２４】
第１のチューブ１１と第２のチューブ１２とが一体的に連結されている部分は、内側に斜めに折り曲げてテーパー状に成形している。なおこのような二段構造の伸縮性網組チューブを製作する手段としては、例えば連結部分が傾斜している二段構造の円柱型中子を用いて成形する。まず円柱型中子の大径側に第２のチューブ１２を挿入し、上記傾斜した連結部分の表面に第２のチューブを内側に斜めに折り曲げ、貼り付けて加熱する。次に第１のチューブ１１を上記円柱型中子の小径側に挿入して加熱し、第２のチューブ１２の傾斜している部分の先端に、この第１のチューブの先端を溶着する。
【００２５】
フック受け部２は、束ねて先細くしてある第１のチューブ１１の先端と、このフック受け部の細長い根元部分とをテープで巻き付けて連結してある。フック受け部２とこのフック受け部の根元部分との間には、回転自在のより戻し具２１が設けられている。配線が挿入される入口となる第２のチューブ１２の後端の開口１２ａは、端面を加熱して網組を構成する網線の繊維が相互に溶着して固定され、かつラッパ状に拡がっている。
【００２６】
また図２に示すとおり、例えば小径のＬＡＮケーブルを配線する場合は、このケーブルの先端部分を第１のチューブ１１に挿入して把握する。またコネクタ付きケーブルを配線する場合は、このケーブルの先端部分のコネクタを第２のチューブ１２に挿入して把握する。これらの場合、第１のチューブ１１及び第２のチューブの後端に設けてある締め付け部３を、これらのチューブの上から各ケーブルに巻き付けて、これらのチューブを縮径する。
【００２７】
このような構成により、第１のチューブ１１または第２のチューブ１２の内径にあった配線をそれぞれ挿入し、一本の伸縮性網組チューブ１で様々な配線工事を実施することができる。配線を挿入する際は、それぞれのチューブを軸方向に圧縮して径を拡大してから配線を挿入し、その後軸方向に引っ張って径を縮小する。これによりそれぞれのチューブが縮径して、この配線の先端部分を強固に把握して抜けないようにすることができる。配線を挿入する第２のチューブ１２の開口１２ａは、網線の繊維が相互に溶着して固定されているため網線がバラけない頑丈な構造であるばかりでなく、ラッパ状に開口しているため配線を挿入し易い。したがって作業員は手袋を嵌めたままでも、片手で配線をそれぞれのチューブに挿入することができる。またフック受け部２を伸縮性ロッドの先端のフックに引っ掛けるだけでこの配線補助具を装着することができる簡単な構造であるため、工事準備の時間を大幅に短縮することができる。
【００２８】
さらに図３に示すとおり、例えばＡ部屋からＢ部屋にＬＡＮケーブルを配線する場合、まずＢ部屋にいる作業員が、Ｂ部屋の天井孔から天井裏を通じて伸縮性ロッドをＡ部屋の天井孔まで伸ばす。そしてＡ部屋にいる作業員は、この伸縮性ロッドの先端のフックに伸縮性網組チューブ１の先端のフック受け部２を引っ掛けると共に、小径のＬＡＮケーブルを第１のチューブ１１に挿入する。その後、Ｂ部屋の作業員は、上記伸縮性ロッドをＢ部屋内に引っ張り込んだり伸縮部分を縮めたりして、ＬＡＮケーブルをＢ部屋まで配線する。なお上記伸縮性ロッドのフックが既設の配線や床裏の段差等に引っ掛からないよう、ペンチ等で鉤部分を潰して円形等に加工されていることが望ましい。
【００２９】
このとき、第１のチューブ１１の先端を束ねて先細りにし、この第１のチューブと第２のチューブ１２とが一体的に連結されている部分がテーパー状に成形されているため、既設の配線や床裏の段差等に引っ掛かり難いばかりでなく、これらとの衝突を回避することができる。なお第１のチューブ１１と第２のチューブ１２とが一体的に連結されている部分が直角な形状の場合であっても、伸縮性網組チューブ１が進行方向に向かって伸縮性ロッドに引っ張られると、上記連結されている部分がコーン状に変形するため、同様の効果を奏する。
【００３０】
またフック受け部２のより戻し具２１が回転すると、配線中にケーブルが捩れることを防止したり、既設の配線や床裏の段差等との衝突による衝撃を緩和したりできるばかりでなく、絡まった状態を解除し易いため、素早く伸縮性ロッドを引っ張り込んだり伸縮部分を縮めたりしても安全に工事することができる。さらに第１のケーブル１１及び第２のケーブル１２の後端に設けている締め付け具３を、これらのチューブの上からＬＡＮケーブルに巻き付けるため、この第１のケーブルによる把握が緩んでも、このＬＡＮケーブルの抜けを防止することができる。
【００３１】
なお、上述したような配線工事は、例えば複数のパネルが組み合わさっているＯＡフロアーの床下においても行うことができる。この場合、配線元のパネルと配線先のパネルとを開くだけでよく、容易に床下に追加配線することができる。
【産業上の利用可能性】
【００３２】
本考案における配線補助具は、配線工事の安全性を高め、かつ作業時間の短縮を実現するばかりでなく、資源の再利用及び廃棄物の削減を図ることができるため、商業ビルや集合住宅の建築や電気工事の施工業に限らず、一般家屋のリフォーム業に関する産業に広く利用可能である。
【符号の説明】
【００３３】
１          伸縮性網組チューブ
１１        第１のチューブ
１２        第２のチューブ
１２ａ      開口
２          フック受け部
２１        より戻し具
３          締め付け具
【図１】
0003165341.tif 000003
【図２】
0003165341.tif 000004
【図３】
0003165341.tif 000005